(57)【要約】ある実施形態によれば、無線デバイス（１１０）における方法は、第１のリンク上でＰＤＵのプロトコルデータユニット（ＰＤＵ）またはセグメントを送信することと、第２のリンク上でＰＤＵまたはＰＤＵのセグメントを送信することとを含む。ＰＤＵまたはＰＤＵのセグメントの１つまたは複数の再送信が、第２のリンク上でスケジュールされる。肯定応答が受信機から受信される。肯定応答は、第１のリンク上のＰＤＵまたはＰＤＵのセグメントの受信が成功したことを示す。肯定応答の受信に応答して、第２のリンク上のＰＤＵまたはＰＤＵのセグメントの１つまたは複数の再送信がキャンセルされる。
2020516145.tif 000002
【特許請求の範囲】
【請求項１】
無線デバイス（１１０）における方法であって、
プロトコルデータユニット（ＰＤＵ）またはＰＤＵのセグメントを第１のリンク上で送信することと、
前記ＰＤＵまたは前記ＰＤＵの前記セグメントを第２のリンク上で送信することと、
前記第２のリンク上での前記ＰＤＵまたは前記ＰＤＵの前記セグメントの１つまたは複数の再送信をスケジューリングすることと、
受信機から、前記第１のリンク上の前記ＰＤＵまたは前記ＰＤＵの前記セグメントの受信が成功したことを示す肯定応答を受信することと、
前記肯定応答の受信に応答して、前記第２のリンク上での前記ＰＤＵまたは前記ＰＤＵの前記セグメントの１つまたは複数の再送信をキャンセルすることと、を有する方法。
【請求項２】
前記肯定応答は、無線リンク制御であるＲＬＣの状態報告において受信される、請求項１に記載の方法。
【請求項３】
前記肯定応答は、前記第１のリンクに関連付けられた第１のＲＬＣエンティティを介して受信され、前記第１のＲＬＣエンティティは、前記ＰＤＵまたは前記ＰＤＵの前記セグメントが前記受信機によって受信されたというインジケーションを、前記無線デバイス（１１０）のパケットデータコンバージェンスプロトコル（ＰＤＣＰ）エンティティに送信する、請求項１または２に記載の方法。
【請求項４】
前記第１のリンクに関連付けられた前記第１のＲＬＣエンティティを介して受信された前記肯定応答は、前記第２のリンクに関連付けられた前記第２のＲＬＣエンティティを介して肯定応答が受信される前に、受信される、請求項３に記載の方法。
【請求項５】
前記第２のリンクに関連する前記第２のＲＬＣエンティティは、前記ＰＤＣＰエンティティと同じ場所に配置されておらず、前記インジケーションは、バックホールチャネルを介して受信される、請求項３または４に記載の方法。
【請求項６】
前記第２のＲＬＣエンティティは、前記第２のリンクに関連する受信側ＲＬＣエンティティにインジケーションを送信し、前記インジケーションは、廃棄されるべき前記データの１つまたは複数の再送信を識別する、請求項４または５に記載の方法。
【請求項７】
前記ＰＤＵまたは前記ＰＤＵの前記セグメントの少なくとも１つの再送信をスケジューリングすることは、前記ＰＤＵまたは前記ＰＤＵの前記セグメントの複数のコピーをＲＬＣサービスデータユニット（ＳＤＵ）バッファに記憶することを含む、請求項１から６のいずれか一項に記載の方法。
【請求項８】
前記第２のリンク上で前記ＰＤＵまたは前記ＰＤＵの前記セグメントの１つまたは複数の再送信をキャンセルすることは、前記ＲＬＣ  ＳＤＵバッファから前記ＰＤＵまたは前記ＰＤＵの前記セグメントの複数のコピーを除去することと、前記ＰＤＵまたは前記ＰＤＵの前記セグメントの前記除去された複数のコピーを廃棄することとを含む、請求項７に記載の方法。
【請求項９】
前記第１のリンクは、第１の無線アクセス技術に関連付けられており、前記第２のリンクは、第２の無線アクセス技術に関連付けられている、請求項１から８のいずれか一項に記載の方法。
【請求項１０】
前記方法が、前記無線デバイス（１１０）のＰＤＣＰレイヤによって実行される、請求項１から９のいずれか一項に記載の方法。
【請求項１１】
前記第１のリンク上での送信は、前記無線デバイス（１１０）の第１のＲＬＣエンティティによって実行される、請求項１から１０のいずれか一項に記載の方法。
【請求項１２】
前記第２のリンク上での前記送信は、前記無線デバイス（１１０）の第２のＲＬＣエンティティによって実行される、請求項１から１２のいずれか一項に記載の方法。
【請求項１３】
ＲＬＣアクノレッジメントモード（ＡＭ）のためにネットワークノードからコンフィギュレーションを受信することをさらに含む、請求項１から１１のいずれか一項に記載の方法。
【請求項１４】
前記肯定応答を受信するための最大送信時間しきい値が定義されており、前記最大送信時間しきい値は、無線レイヤ障害（ＲＬＦ）プロシージャをトリガするものである、請求項１から１３のいずれか一項に記載の方法。
【請求項１５】
前記肯定応答を受信することに応答して、前記最大送信時間しきい値に関連付けられたタイマをリセットして、前記ＲＬＦプロシージャのトリガを防止することをさらに含む、請求項１４に記載の方法。
【請求項１６】
無線デバイス（１１０）であって、
プロトコルデータユニット（ＰＤＵ）またはＰＤＵのセグメントを第１のリンク上で送信し、
前記ＰＤＵまたは前記ＰＤＵの前記セグメントを第２のリンクで送信し、
前記第２のリンク上での前記ＰＤＵまたは前記ＰＤＵの前記セグメントの１つまたは複数の再送信をスケジュールし、
受信機から、前記第１のリンク上での前記ＰＤＵまたは前記ＰＤＵの前記セグメントの受信が成功したことを示す肯定応答を受信し、
前記肯定応答の受信に応答して、前記第２のリンク上の前記ＰＤＵまたは前記ＰＤＵの前記セグメントの１つまたは複数の再送信をキャンセルする、ように構成されているプロセッシング回路（２２０）を有する、無線デバイス。
【請求項１７】
前記肯定応答は、無線リンク制御（ＲＬＣ）状態報告において受信される、請求項１６に記載の無線デバイス（１１０）。
【請求項１８】
前記肯定応答は、前記第１のリンクに関連付けられた第１のＲＬＣエンティティを介して受信され、前記第１のＲＬＣエンティティは、前記ＰＤＵまたは前記ＰＤＵの前記セグメントが前記受信機によって受信されたというインジケーションを、前記無線デバイス（１１０）のパケットデータコンバージェンスプロトコル（ＰＤＣＰ）エンティティに送信する、請求項１６または１７に記載の無線デバイス（１１０）。
【請求項１９】
前記第１のリンクに関連付けられた前記第１のＲＬＣエンティティを介して受信された前記肯定応答は、前記第２のリンクに関連付けられた前記第２のＲＬＣエンティティを介して肯定応答が受信される前に、受信される、請求項１８に記載の無線デバイス（１１０）。
【請求項２０】
前記第２のリンクに関連付けられた前記第２のＲＬＣエンティティは、前記ＰＤＣＰエンティティと同じ場所に配置されておらず、前記インジケーションは、バックホールチャネルを介して受信される、請求項１８または１９に記載の無線デバイス（１１０）。
【請求項２１】
前記第２のＲＬＣエンティティは、前記第２のリンクに関連付けられた受信機側ＲＬＣエンティティにインジケーションを送信し、前記インジケーションは、廃棄されるべき前記データの１つまたは複数の再送信を識別するものである、請求項１９または２０に記載の無線デバイス（１１０）。
【請求項２２】
前記ＰＤＵまたは前記ＰＤＵの前記セグメントの少なくとも１つの再送信をスケジュールすることは、前記ＰＤＵまたは前記ＰＤＵの前記セグメントの複数のコピーをＲＬＣサービスデータユニット（ＳＤＵ）バッファに記憶することを含む、請求項１６から２１のいずれか一項に記載の無線デバイス（１１０）。
【請求項２３】
前記第２のリンク上での前記ＰＤＵまたは前記ＰＤＵの前記セグメントの前記１つまたは複数の再送信をキャンセルすることは、前記ＰＤＵまたは前記ＰＤＵの前記セグメントの前記複数のコピーを前記ＲＬＣ  ＳＤＵバッファから除去することと、前記ＰＤＵまたは前記ＰＤＵの前記セグメントの前記除去された複数のコピーを廃棄することとを含む、請求項２２に記載の無線デバイス（１１０）。
【請求項２４】
前記第１のリンクは、第１の無線アクセス技術に関連付けられており、前記第２のリンクは、第２の無線アクセス技術に関連付けられている、請求項１６から２３のいずれか一項に記載の無線デバイス（１１０）。
【請求項２５】
前記プロセッシング回路は、前記無線デバイス（１１０）のＰＤＣＰレイヤに関連付けられている、請求項１６から２４のいずれか一項に記載の無線デバイス（１１０）。
【請求項２６】
前記第１のリンク上の前記送信は、前記無線デバイス（１１０）の第１のＲＬＣエンティティによって実行される、請求項１６から２５のいずれか一項に記載の無線デバイス（１１０）。
【請求項２７】
前記第２のリンク上の前記送信は、前記無線デバイス（１１０）の第２のＲＬＣエンティティによって実行される、請求項１６から２６のいずれか一項に記載の無線デバイス（１１０）。
【請求項２８】
前記プロセッシング回路は、ＲＬＣアクノレッジメントモード（ＡＭ）のためのネットワークノードからコンフィギュレーションを受信するようにさらに構成されている、請求項１６から２７のいずれか一項に記載の無線デバイス（１１０）。
【請求項２９】
前記肯定応答を受信するために最大送信時間しきい値が定義されており、前記最大送信時間しきい値は、無線レイヤ障害（ＲＬＦ）プロシージャをトリガするものである、請求項１６から２８のいずれか一項に記載の無線デバイス（１１０）。
【請求項３０】
前記肯定応答を受信したことに応じて、前記プロセッシング回路は、前記ＲＬＦプロシージャのトリガを防止するために、前記最大送信時間しきい値に関連付けられたタイマをリセットするようにさらに構成されている、請求項２９に記載の無線デバイス（１１０）。
【発明の詳細な説明】
【技術分野】
【０００１】
本発明は、一般に、無線通信に関し、とりわけ、送信のための複製パケットを取り除くための方法およびシステムに関する。
【背景技術】
【０００２】
ＮＲでは、ダウンリンク（ＤＬ）とアップリンク（ＵＬ）とにおけるデュアルコネクティビティ（ＤＣ）は、標準化される２つの特徴である。これらの特徴は、ＬＴＥ（Ｌｏｎｇ  Ｔｅｒｍ  Ｅｖｏｌｕｔｉｏｎ）においても利用可能である。ＮＲでは、パケットデータコンバージェンスプロトコル（ＰＤＣＰ）データ複製も標準化される。これは、同じＰＤＣＰプロトコルデータユニット（ＰＤＵ）が２つの異なるレッグ／パス上で送信されてもよいことを意味する。このタイプの特徴は、超高信頼性低遅延通信（ＵＲＬＬＣ）または限定カバレッジ状況などの信頼性が重要であるシナリオにおいて有用であり得る。
【０００３】
図１は、ＬＴＥとＮＲとの間のＤＣアーキテクチャを示す。データ複製が可能である場合、各無線アクセス技術（ＲＡＴ）によって同じＰＤＣＰ  ＰＤＵが送信される。無線リンク制御（ＲＬＣ）エンティティがＰＤＣＰにデータを要求すると、ＰＤＣＰレイヤは、要求元のＲＬＣエンティティにＰＤＣＰ  ＰＤＵを配信する。
【０００４】
ＲＬＣアクノレッジモード（ＡＭ）が設定されると、各ＲＬＣエンティティは、データが正常に肯定応答されるか、またはＲＬＣ再送信の最大数に達するまで、再送信を実行する。後者の場合、ＵＥは、無線リンク障害（ＲＬＦ）プロシージャをトリガする。カバレッジが制限された状況では、ＲＬＣ再送信の最大数に達することができる。
【０００５】
パケット複製が有効な場合、リンク問題により、同じ（複製した）  ＰＤＣＰ  ＰＤＵ  が他のレッグによって受信されていないか、まだ受信されていない間に、ＰＤＣＰ  ＰＤＵ  がレッグの１つを介して受信される場合がある。問題のあるリンクのＲＬＣエンティティは、ＰＤＣＰ  ＰＤＵを含むＲＬＣ  ＰＤＵのＲＬＣ再送信を実行しているかもしれない。ＲＬＣエンティティが再送信の最大数に達した場合、ＵＥは、ＲＬＦプロシージャをトリガするが、このようなプロシージャは実際には必要ではない。さらに、ＲＬＦプロシージャをトリガすることは、少なくとも１つのリンクが実行中であり、データが正しく送信／受信される場合には望ましくないことがある。
【発明の概要】
【０００６】
現存する解決策に関する前述の問題に対処するために、送信のために複製パケットを取り除くための方法およびシステムが開示される。具体的には、ＰＤＣＰ  ＰＤＵが第２のリンクを介して受信機によって受信されたにもかかわらず、ＲＬＣ  ＰＤＵが１つのリンクによって受信機に送信または再送信されているときに、あるパケットデータコンバージェンスプロトコル（ＰＤＣＰ）  ＰＤＵを含む無線リンク制御（ＲＬＣ）プロトコルデータユニット（ＰＤＵ）をＲＬＣバッファから除去するための機構が提供される。
【０００７】
いくつかの実施形態では、システムおよび方法は、ユーザ機器（ＵＥ）を含み得る無線デバイスと、および／または、ｅノードＢ  （ｅＮＢ）を含み得るネットワークノードとにおいて、またはそれによって実装されてもよい。
【０００８】
ある実施形態によれば、無線デバイスにおける方法は、第１のリンク上でＰＤＵまたはＰＤＵのセグメントを送信することと、第２のリンク上でＰＤＵまたはＰＤＵのセグメントを送信することとを含むことができる。ＰＤＵまたはＰＤＵのセグメントの１つまたは複数の再送信が、第２のリンク上でスケジュールされる。肯定応答が受信機から受信される。肯定応答は、第１のリンク上のＰＤＵまたはＰＤＵのセグメントの受信が成功したことを示す。肯定応答の受信に応答して、第２のリンク上のＰＤＵまたはＰＤＵのセグメントの１つまたは複数の再送信がキャンセルされる。
【０００９】
ある実施形態によれば、無線デバイスは、第１のリンク上でＰＤＵまたはＰＤＵのセグメントを送信し、第２のリンク上でＰＤＵまたはＰＤＵのセグメントを送信するように構成されたプロセッシング回路を含み得る。ＰＤＵまたはＰＤＵのセグメントの１つまたは複数の再送信が、第２のリンク上でスケジュールされる。肯定応答が受信機から受信される。肯定応答は、第１のリンク上のＰＤＵまたはＰＤＵのセグメントの受信が成功したことを示す。肯定応答の受信に応答して、第２のリンク上のＰＤＵまたはＰＤＵのセグメントの１つまたは複数の再送信がキャンセルされる。
【００１０】
本開示のある実施形態は、１つまたは複数の技術的利点を提供することができる。たとえば、いくつかの実施形態は、データが複製され、２つの異なるリンクを介して送信され、成功した送信が２つのリンクのうちの１つを介して受信されるとき、最大数のＲＬＣ送信に応答して、無線リンク障害（ＲＬＦ）プロシージャの不必要なトリガを回避することができる。したがって、ある実施形態は、ネットワークリソースを節約する。さらに、ある実施形態は、ＲＬＣ再確立を回避する。
【００１１】
他の利点は、当業者には容易に明らかであろう。ある実施形態は、列挙された利点のいずれも有さないか、いくつか、またはすべてを有し得る。
【図面の簡単な説明】
【００１２】
開示された実施形態、ならびにそれらの特徴および利点をより完全に理解するために、添付の図面と併せて以下の説明を参照する。
【図１】は、ＬＴＥとＮＲとの間のＤＣアーキテクチャを示す。
【図２】は、ある実施形態による、送信のための複製パケットを除去するための例示的な無線ネットワークを示す。
【図３】は、ある実施形態による、送信のための複製パケットの除去のための例示的な無線デバイスを示す。
【図４】は、ある実施形態による、送信のための複製パケットの除去のための例示的なネットワークノードを示す。
【図５】は、ある実施形態による、パケットデータコンバージェンスプロトコル（ＰＤＣＰ）プロトコルデータユニット（ＰＤＵ）の無線リンク制御（ＲＬＣ）  ＰＤＵへの例示的なマッピングを示す。
【図６】は、ある実施形態による、２つの無線リンク制御（ＲＬＣ）エンティティによって独立して送信される例示的なＰＤＣＰ  ＰＤＵを示す。
【図７】は、ある実施形態による、送信のための複製パケットの除去のための例示的な送信シーケンスチャートを示す。
【図８】は、ある実施形態による、Ｘ２チャネル上で送信されたフィードバックに基づいてパケットを廃棄するための例示的な無線ネットワークを示す。
【図９】は、ある実施形態による、送信のための複製パケットを除去するための無線デバイスによる例示的な方法を示す。
【図１０】は、ある実施形態による、送信のための複製パケットを除去するための受信機による例示的な方法を示す。
【図１１】は、ある実施形態による、例示的な無線ネットワーク制御装置またはコアネットワークノードを示す。
【発明を実施するための形態】
【００１３】
本発明のある実施形態は、様々なタイプのイントラ周波数測定間のギャップ共有を制御するための方法およびシステムを提供することができる。ある実施形態は、図面の図２〜図１５に記載されており、同様の数字は、様々な図面の同様の部分および対応する部分に使用されている。
【００１４】
図２は、ある実施形態による、送信のための複製パケットを除去するための無線ネットワーク１００を示す。ネットワーク１００は、無線デバイス１１０またはＵＥ１１０と交換可能に呼ばれる１つまたは複数の無線デバイス１１０Ａ〜Ｃと、ネットワークノード１１５またはｅノードＢ１１５と交換可能に呼ばれるネットワークノード１１５Ａ〜Ｃとを含む。無線デバイス１１０は、無線インターフェースを介してネットワークノード１１５と通信することができる。たとえば、無線デバイス１１０Ａは、ネットワークノード１１５のうちの１つまたは複数に無線信号を送信し、および／またはネットワークノード１１５のうちの１つまたは複数から無線信号を受信することができる。無線信号は、音声トラフィック、データトラフィック、制御信号、および／または任意の他の適切な情報を含み得る。いくつかの実施形態では、ネットワークノード１１５に関連する無線信号カバレッジの領域は、セルと呼ばれ得る。いくつかの実施形態では、無線デバイス１１０は、Ｄ２Ｄ機能を有することができる。したがって、無線デバイス１１０は、別の無線デバイス１１０から信号を受信し、および／または別の無線デバイス１１０に直接的に信号を送信することができる。たとえば、無線デバイス１１０Ａは、無線デバイス１１０Ｂから信号を受信し、および／またはそこに信号を送信することができる。
【００１５】
いくつかの実施形態では、ネットワークノード１１５は、無線ネットワーク制御装置（図２には図示せず）とインターフェースすることができる。無線ネットワーク制御装置は、ネットワークノード１１５を制御することができ、ある種の無線リソース管理機能、モビリティ管理機能、および／または他の好適な機能を提供することができる。ある実施形態では、無線ネットワーク制御装置の機能は、ネットワークノード１１５に含まれてもよい。無線ネットワーク制御装置は、コアネットワークノードとインターフェースすることができる。いくつかの実施形態では、無線ネットワーク制御装置は、相互接続ネットワークを介してコアネットワークノードとインターフェースすることができる。相互接続ネットワークは、音声、映像、信号、データ、メッセージ、またはこれらの任意の組合せを送信することができる任意の相互接続システムを指すことができる。相互接続ネットワークは、公衆交換電話網（ＰＳＴＮ）、公衆またはプライベートデータネットワーク、ローカルエリアネットワーク（ＬＡＮ）、メトロポリタンエリアネットワーク（ＭＡＮ）、ワイドエリアネットワーク（ＷＡＮ）、インターネットなどのローカル、地域、またはグローバル通信またはコンピュータネットワーク、有線または無線ネットワーク、企業イントラネット、またはそれらの組合せを含む任意の他の適切な通信リンクのすべてまたは一部を含むことができる。
【００１６】
いくつかの実施形態では、コアネットワークノードは、無線デバイス１１０のための通信セッションおよび様々な他の機能の確立を管理することができる。無線デバイス１１０は、非アクセス階層レイヤを使用して、コアネットワークノードと特定の信号をやり取りすることができる。非アクセス階層シグナリング方式では、無線デバイス１１０とコアネットワークノードとの間のシグナリングは、無線アクセスネットワークを透過的に通過することができる。いくつかの実施形態では、ネットワークノード１１５は、ノード間インターフェースを介して１つまたは複数のネットワークノードとインターフェースすることができる。たとえば、ネットワークノード１１５Ａおよび１１５Ｂは、Ｘ２インターフェースを介してインターフェースすることができる。
【００１７】
上述したように、ネットワーク１００の例示的な実施形態は、１つ以上の無線デバイス１１０と、無線デバイス１１０と（直接的又は間接的に）通信することができる１つ以上の異なったタイプのネットワークノードとを含むことができる。無線デバイス１１０は、セルラまたは移動通信システムにおいてノードおよび／または別の無線デバイスと通信する任意の種類の無線デバイスを指すことができる。無線デバイス１１０の例には、ターゲットデバイス、デバイスツーデバイス（Ｄ２Ｄ）対応デバイス、マシンタイプ通信（ＭＴＣ）デバイス、またはマシンツーマシン（Ｍ２Ｍ）通信が可能な他のＵＥ、携帯電話または他の端末、スマートフォン、ＰＤＡ  （携帯情報端末）、ポータブルコンピュータ（たとえば、ラップトップ、タブレット）、センサ、モデム、ラップトップ組み込み機器（ＬＥＥ）、ラップトップ搭載機器（ＬＭＥ）、ＵＳＢドングル、ＰｒｏＳｅ  ＵＥ、Ｖ２Ｖ  ＵＥ、Ｖ２Ｘ  ＵＥ、ＭＴＣ  ＵＥ、ｅＭＴＣ  ＵＥ、ＦｅＭＴＣ  ＵＥ、ＦｅＭＴＣ  ＵＥ、ＵＥ  Ｃａｔ  ０、ＵＥ  Ｃａｔ  Ｍ１、ナローバンドインターネットオブシングス（ＮＢ−ＩｏＴ）  ＵＥ、ＵＥ  Ｃａｔ  ＮＢ１、または無線通信を提供することができる他のデバイスが含まれる。いくつかの実施形態では、無線デバイス１１０は、ＵＥ、ステーション（ＳＴＡ）、デバイス、または端末と呼ばれることもある。また、いくつかの実施形態では、一般的な用語「無線ネットワークノード」（または単に「ネットワークノード」）が使用される。これは、ノード  Ｂ、基地局（ＢＳ）、ＭＳＲ  ＢＳ、ｅＮｏｄｅ  Ｂ、ＭｅＮＢ、ＳｅＮＢなどのマルチスタンダード無線ノード（ＭＳＲ）、ＭＣＧまたはＳＣＧに属するネットワークノード、ネットワーク制御装置、無線ネットワーク制御装置（ＲＮＣ）、基地局コントローラ（ＢＳＣ）、リレードナーノード制御リレー、基地送受信局（ＢＴＳ）、アクセスポイント（ＡＰ）、送信ポイント、送信ノード、ＲＲＵ、ＲＲＨ、分散アンテナシステム（ＤＡＳ）にけるノード、コアネットワークノード（たとえば、ＭＳＣ、ＭＭＥなど）、Ｏ＆Ｍ、ＯＳＳ、ＳＯＮ、測位ノード（たとえば、Ｅ−ＳＭＬＣ）、ＭＤＴ、試験装置、または任意の好適なノードを備え得る任意の種類のネットワークノードであり得る。無線デバイス１１０、ネットワークノード１１５、および他のネットワークノード（無線ネットワーク制御装置またはコアネットワークノードなど）の例示的な実施形態を、それぞれ図３、図４、および図１５に関してより詳細に説明する。
【００１８】
図２は、ネットワーク１００の特定の構成を示しているが、本開示は、本明細書で説明される様々な実施形態が、任意の適切な構成を有する様々なネットワークに適用されてもよいことを意図している。たとえば、ネットワーク１００は、任意の適切な個数の無線デバイス１１０およびネットワークノード１１５、ならびに無線デバイス間または無線デバイスと別の通信装置（地上回線電話機など）との間の通信をサポートするのに適した任意の追加の要素を含むことができる。さらに、いくつかの実施形態は、ロングタームエボリューション（ＬＴＥ）ネットワークにおいて実装されるものとして説明されてもよいが、実施形態は、任意の適切な通信規格をサポートし、任意の適切なコンポーネントを使用する任意の適切な種類の電気通信システムにおいて実装されてもよく、ＭＴＣ、ｅＭＴＣ、およびＮＢ−ＩｏＴなどの任意のＬＴＥベースのシステムに適用可能である。一例として、ＭＴＣ  ＵＥ、ｅＭＴＣ  ＵＥ、およびＮＢ−ＩｏＴ  ＵＥは、それぞれ、ＵＥカテゴリ０、ＵＥカテゴリＭ１、およびＵＥカテゴリＮＢ１と呼ばれることもある。しかしながら、実施形態は、無線デバイスが信号（たとえば、データ）を受信および／または送信する任意の無線アクセス技術（ＲＡＴ）またはマルチＲＡＴ  システムに適用可能である。たとえば、本明細書で説明される様々な実施形態は、ＬＴＥ−ＡｄｖａｎｃｅｄおよびＬＴＥ−Ｕ  ＵＭＴＳ、ＬＴＥ  ＦＤＤ／ＴＤＤ、ＷＣＤＭＡ／ＨＳＰＡ、ＧＳＭ／ＧＥＲＡＮ、ＷｉＦｉ、ＷＬＡＮ、ｃｄｍａ２０００、ＷｉＭａｘ、５Ｇ、Ｎｅｗ  Ｒａｄｉｏ  （ＮＲ）、別の適切な無線アクセス技術、または１つまたは複数の無線アクセス技術の任意の適切な組合せにも適用可能であり得る。５Ｇ、第５世代の移動通信および無線技術は、まだ完全には定義されていないが、３ＧＰＰを用いた高度な草案段階にあることに留意されたい。これには、５Ｇ  ＮＲ（Ｎｅｗ  Ｒａｄｉｏ）アクセス技術に関する研究が含まれる。ＬＴＥ用語は、本明細書では、前向きの意味で使用され、同等の５Ｇエンティティまたは機能を含むが、異なる用語が５Ｇで指定されてもよい。５Ｇ  ＮＲアクセス技術に関する合意の一般的な説明は、３ＧＰＰ  ３８シリーズ技術報告書の最新バージョンに含まれている。ある実施形態は、ダウンリンクにおける無線送信のコンテキストで説明されてもよいが、本開示は、様々な実施形態がアップリンクにおいて等しく適用可能であり、その逆も同様であることを意図する。説明される技術は、一般に、ネットワークノード１１５および無線デバイス１１０の両方からの送信に適用可能である。
【００１９】
図３は、ある実施形態による、様々なタイプのイントラ周波数測定間のギャップ共有を制御するための例示的な無線デバイス１１０を示す。図示のように、無線デバイス１１０は、送受信機２１０と、プロセッシング回路２２０と、メモリ２３０とを含む。いくつかの実施形態では、送受信機２１０は、（たとえば、アンテナを介して）ネットワークノード１１５への無線信号の送信とネットワークノード１１５からの無線信号の受信とを容易にし、プロセッシング回路２２０は、無線デバイス１１０によって提供されるものとして上述した機能のいくつかまたはすべてを提供するための命令を実行し、メモリ２３０は、プロセッシング回路２２０によって実行される命令を保存する。無線デバイス１１０の例は、上述されている。
【００２０】
プロセッシング回路２２０は、命令を実行し、データを操作して、無線デバイス１１０の記載された機能のいくつかまたはすべてを実装するために、１つまたは複数のモジュールにより実装されるハードウエアおよびソフトウエアの任意の好適な組合せを含むことができる。いくつかの実施形態では、プロセッシング回路２２０は、たとえば、１つまたは複数のコンピュータ、１つまたは複数の中央処理装置（ＣＰＵ）、１つまたは複数のプロセッサ、１つまたは複数のマイクロプロセッサ、１つまたは複数のアプリケーション、および／または他のロジックを含むことができる。
【００２１】
メモリ２３０は、一般に、コンピュータプログラム、ソフトウエア、論理、ルール、アルゴリズム、コード、テーブルなどのうちの１つまたは複数を含むアプリケーション、および／またはプロセッシング回路によって実行可能な他の命令などの命令を格納するように動作可能である。メモリ２３０の例は、コンピュータメモリ（たとえば、ランダムアクセスメモリ（ＲＡＭ）またはリードオンリメモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、および／または情報を記憶する任意の他の揮発性または不揮発性の、一時的でないコンピュータ可読および／またはコンピュータ実行可能メモリデバイスを含む。
【００２２】
無線デバイス１１０の他の実施形態は、図３に示されるものを超える追加の構成要素を含むことができ、これは、上述の機能のいずれか、および／または任意の追加の機能（上述の解決策をサポートするために不可欠な任意の機能を含む）を含む、無線デバイスの機能の特定の態様を提供する役割を果たすことができる。
【００２３】
図４は、ある実施形態による、様々なタイプのイントラ周波数測定間のギャップ共有を制御するための例示的なネットワークノード１１５を示す。上述のように、ネットワークノード１１５は、無線デバイスおよび／または別のネットワークノードと通信する任意の種類の無線ネットワークノードまたは任意のネットワークノードであってもよい。ネットワークノード１１５の例は、上述されている。
【００２４】
ネットワークノード１１５は、ホモジーニアスデプロイメント（同種配備）、ヘテロジーニアスデプロイメント（異種配備）、またはミックス配備としてネットワーク１００の全体に設置可能である。同種配備は、一般に、同じ（または同様の）種類のネットワークノード１１５および／または同様のカバレッジおよびセルサイズおよびサイト間距離から構成される配備を記述しうる。異種配備は、一般に、様々なセルサイズ、送信電力、容量、およびサイト間距離を有する様々なタイプのネットワークノード１１５を使用する配備を記述することができる。たとえば、異種配備は、マクロセルレイアウト全体に配置された複数の低電力ノードを含むことができる。ミックス配備は、同種部分と異種部分とのミックスを含むことができる。
【００２５】
ネットワークノード１１５は、送受信機３１０、プロセッシング回路３２０、メモリ３３０、およびネットワークインタフェース３４０のうちの１つ以上を含み得る。いくつかの実施形態では、送受信機３１０は、（たとえば、アンテナを介して）無線デバイス１１０との間で無線信号を送信し、無線信号を受信することを容易にし、プロセッシング回路３２０は、ネットワークノード１１５によって提供されるものとして上述した機能のいくつかまたはすべてを提供するための命令を実行し、メモリ３３０は、プロセッシング回路３２０によって実行される命令を格納し、ネットワークインタフェース３４０は、ゲートウェイ、スイッチ、ルータ、インターネット、公衆交換電話網（ＰＳＴＮ）、コアネットワークノードまたは無線ネットワーク制御装置などのバックエンドネットワークコンポーネントに信号を通信する。
【００２６】
いくつかの実施形態では、ネットワークノード１１５は、マルチアンテナ技法を使用することができ、マルチアンテナを装備し、ＭＩＭＯ技法をサポートすることができる。１つまたは複数のアンテナは、制御可能な偏波を有することができる。言い換えれば、各要素は、異なる偏波（たとえば、交差偏波におけるように９０度の分離）を有する２つの同じ位置に配置されたサブ要素を有することができ、その結果、ビームフォーミング重みの異なる設定は、放射された電波に異なる偏波を与えることになる。
【００２７】
プロセッシング回路３２０は、命令を実行し、データを操作して、ネットワークノード１１５の記載された機能のいくつかまたはすべてを実行するために、１つまたは複数のモジュールで実装されたハードウエアおよびソフトウエアの任意の好適な組合せを含むことができる。いくつかの実施形態では、プロセッシング回路３２０は、たとえば、１つまたは複数のコンピュータ、１つまたは複数の中央処理装置（ＣＰＵ）、１つまたは複数のマイクロプロセッサ、１つまたは複数のアプリケーション、および／または他のロジックを含むことができる。
【００２８】
メモリ３３０は、一般に、コンピュータプログラム、ソフトウエア、論理、ルール、アルゴリズム、コード、テーブルなどのうちの１つまたは複数を含むアプリケーション、および／またはプロセッサによって実行可能な他の命令などの命令を格納するように動作可能である。メモリ３３０の例は、コンピュータメモリ（たとえば、ランダムアクセスメモリ（ＲＡＭ）またはリードオンリメモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、および／または情報を記憶する任意の他の揮発性または不揮発性の、一時的でないコンピュータ可読および／またはコンピュータ実行可能メモリデバイスを含む。
【００２９】
いくつかの実施形態では、ネットワークインタフェース３４０は、プロセッシング回路３２０に通信可能に結合され、ネットワークノード１１５の入力を受信し、ネットワークノード１１５から出力を送信し、入力または出力またはその両方の適切な処理を実行し、他のデバイスと通信し、あるいはこれらの任意の組合せを行うように動作可能な任意の適切なデバイスを指すことができる。ネットワークインタフェース３４０は、ネットワークを介して通信するために、プロトコル変換およびデータ処理能力を含む適切なハードウエア（たとえば、ポート、モデム、ネットワークインタフェースカードなど）およびソフトウエアを含み得る。
【００３０】
ネットワークノード１１５の他の実施形態は、上述した機能のうちのいずれか、および／または任意の追加の機能（上述した解決策をサポートするために不可欠な任意の機能を含む）を含む、無線ネットワークノードの機能の特定の態様を提供する役割を果たすことができる、図４に示されたものを超える追加の構成要素を含むことができる。様々な異なるタイプのネットワークノードは、同じ物理ハードウエアを有するが、異なる無線アクセス技術をサポートするように（たとえば、プログラムを介して）構成されたコンポーネントを含むことができ、または部分的にまたは完全に異なる物理コンポーネントを表すことができる。さらに、第１および第２という用語は、例示の目的のためだけに提供され、交換可能である。
【００３１】
ある実施形態によれば、無線デバイス１１０およびネットワークノード１１５は、協働して、送信のための複製パケットの除去をもたらすことができる。たとえば、無線デバイス１１０は、無線リンク制御（ＲＬＣ）アクノレッジモード（ＡＭ）  ／非アクノレッジモード（ＵＭ）のために構成されたときに、送信から複製パケットを除去するようにネットワークノード１１５によって構成されてもよい。ある実施形態によれば、パケットデータコンバージェンスプロトコル（ＰＤＣＰ）プロトコルデータユニット（ＰＤＵ）が２つのリンクを介して送信される場合、各リンクのＲＬＣエンティティは、ＰＤＣＰ  ＰＤＵを送信する。各ＲＬＣエンティティは、１つ以上のＲＬＣ  ＰＤＵまたはＲＬＣ  ＰＤＵセグメントでＰＤＣＰ  ＰＤＵを送信する。図５は、ＰＤＣＰ  ＰＤＵのＲＬＣ  ＰＤＵへの例示的なマッピング４００を示す。
【００３２】
図６は、ある実施形態による、２つのＲＬＣエンティティによって独立して送信されるＰＤＣＰ  ＰＤＵ  ５００を示す。典型的には、受信エンティティは、正常に受信された各ＲＬＣ  ＰＤＵについてのＲＬＣステータスリポート（状態報告）内で肯定応答を送信することができる。ＰＤＣＰ  ＰＤＵの異なる部分を搬送するすべてのＲＬＣ  ＰＤＵ（またはＰＤＵセグメント）が肯定応答されると、ＲＬＣエンティティは、ＰＤＣＰパケットがピアエンティティによって受信されたことをＰＤＣＰエンティティに示す。
【００３３】
図７は、複製ＰＤＣＰ  ＰＤＵが２つのリンクを介して送信されるときに、送信のために複製パケットを除去するための例示的な送信シーケンス６００を示す。ある実施形態によれば、ＰＤＣＰエンティティ６０５が、ＲＬＣエンティティ６１０Ａのうちの第１のエンティティによって、あるＰＤＣＰ  ＰＤＵがピアエンティティによって受信されたというインジケーションを受信すると、次のようになる。
１）      ＰＤＣＰエンティティ６０５は、第２のＲＬＣエンティティ６１０Ｂに、ＰＤＣＰ  ＰＤＵを含むＲＬＣ  ＰＤＵの送信を停止するように指示する。
【００３４】
ある実施形態によれば、ＰＤＣＰ  ＰＤＵがピアエンティティによって受信されたことを第２のＲＬＣエンティティ６１０Ｂがまだ示していないことが仮定されてもよい。したがって、ある実施形態によれば、ＰＤＣＰ  ６０５からこの第２のＲＬＣエンティティ６１０Ｂへのインジケーションは、オプションであってもよく、ＰＤＣＰ  ＰＤＵの送信が成功したことをこの第２のＲＬＣエンティティ６１０Ｂがまだ示していなかった場合にのみ、送信されてもよい。
【００３５】
ある実施形態によれば、ＰＤＣＰ  ６０５および第２のＲＬＣエンティティ６１０Ｂは、同じ場所に配置されなくてもよい。そのような実施形態では、第２のＲＬＣ６１０ＢにおいてＰＤＣＰ  ＰＤＵを廃棄するためのインジケーションの通信は、バックホールチャネルを介して通信されてもよい。たとえば、インジケーションは、Ｘ２（またはその展開）を介して通信されてもよい。ある実施形態によれば、インジケーションは、ＰＤＣＰを実装するノードからＲＬＣを実装するノードへのフロー制御シグナリングに含まれてもよい。図８は、Ｘ２チャネル上で送信されたフィードバックに基づいてパケットを廃棄するための例示的な無線ネットワーク７００を示す。
２）      第２のＲＬＣエンティティ６１０Ｂは、ＰＤＣＰ  ＰＤＵにマッピングするＲＬＣ  ＰＤＵの送信を停止すべきである。ある実施形態によれば、たとえば、第２のＲＬＣエンティティ６１０Ｂは、ＲＬＣ  ＳＤＵを含むことができる待ち行列バッファからＰＤＣＰ  ＰＤＵを除去し、それらのＲＬＣ  ＰＤＵ（またはＲＬＣ  ＰＤＵセグメント）を廃棄することができる。次いで、第２のＲＬＣエンティティは、ＲＬＣステータス変数を更新することができる。たとえば、第２のＲＬＣエンティティ６１０Ｂは、第２のＲＬＣエンティティ６１０Ｂが、廃棄されたＰＤＵを正常に送信されたと見なすときに、それらの廃棄されたＰＤＵを超えて送信ウィンドウを移動させることができる。
【００３６】
ＡＭ送信に関連するある実施形態によれば、ＲＬＣ  ＰＤＵの送信＋再送信のためのカウンターは、特定のＲＬＣ  ＰＤＵについて、到達される最大限の再送信回数のインジケーションに到達することができないように、再設定（リセット）されてもよい。
３）      ある実施形態によれば、第２のＲＬＣエンティティ６１０Ｂは、ピアＲＬＣエンティティ（受信ＲＬＣエンティティ６１５Ｂ）に、どのＲＬＣ  ＰＤＵ（複数可）を廃棄すべきかを通知することができる。ある実施形態では、このインジケーション（「ＲＬＣ制御ＰＤＵ」）の送信は、送信されるべき他のＲＬＣデータよりも優先されてもよい。
【００３７】
第２のＲＬＣエンティティ６１０Ｂが、どのＲＬＣ  ＰＤＵ（複数可）を廃棄するかをピアＲＬＣエンティティ６１５Ｂに通知するステップは、リンクが切断されていると仮定されてもよいので、困難であり得ることが認識されてもよい。しかしながら、そのような情報は、受信機が、廃棄されたＰＤＵを超えて受信ウィンドウを移動させることを可能にする。ある実施形態によれば、リオーダータイマは、ＰＤＣＰへの配信に影響を及ぼさず、したがって、大きな問題を提示しないが、状態報告送信につながる可能性がある。
【００３８】
ある実施形態によれば、この第２のＲＬＣ  ６１０Ｂ上のリンクは、最終的に再び送信に利用可能であり、その結果、受信機側は、実際に、廃棄されたＰＤＵを通知されることができると仮定することができる。このリンクが再び送信のために利用可能であるとき、早期の廃棄のために、他のＲＬＣを介して既に受信されたデータは、第２のＲＬＣ  ６１０Ｂを介してもはや冗長に再送信される必要はない。
４）      この第２のＲＬＣ  ６１０ＢのピアＲＬＣエンティティ（受信ＲＬＣエンティティ６１５Ｂ）は、送信ＲＬＣ  ６１０Ｂからのこの受信インジケーションにより示されるＲＬＣ  ＰＤＵを廃棄し、それに応じてＲＬＣ状態変数およびタイマ（たとえば、リオーダータイマ）を更新する。ピアＲＬＣエンティティ６１０Ｂは、これらのＲＬＣ  ＰＤＵを「正常に受信された」ＰＤＵと見なし、これらのＰＤＵを超えて受信ウィンドウを移動させる。
【００３９】
ある実施形態によれば、ＰＤＣＰ送信タイムアウトＲＬＦが提供されてもよい。具体的には、ＲＬＣ再送インジケーションが最大回数に到達してしまうこととＲＬＦプロシージャのトリガとを回避するために、オペレータは両方のＲＬＣのインジケーションを無効にすることを選択することができる。ＲＬＦを補償し、依然として確実に検出できるようにするために、ＰＤＣＰ上の方法を考慮することができる。たとえば、ある実施形態によれば、各ＰＤＣＰ  ＰＤＵについて、肯定応答するための最大送信時間制限を定義することができる。最大送信時間制限に達した場合、上位レイヤにインジケーションをトリガすることができ、上位レイヤは、次に、ＲＬＦをトリガする。ある実施形態では、ＰＤＣＰ  ＰＤＵのためのＲＬＣ  ＡＣＫがいずれかのＲＬＣ  ６１０Ａ−Ｂから受信されると、タイマはリセットされてもよいし、ＲＬＦはトリガされなくてもよい。あるいは、ＰＤＣＰ下位送信ウィンドウエッジに対して単一のタイマを定義することができる。たとえば、最低のＳＮを有するＰＤＣＰ  ＰＤＵは、肯定応答されなくてもよい。このＰＤＣＰ  ＰＤＵが一定期間にわたり肯定応答されない場合、ＲＬＦ  インジケーションは上位レイヤにトリガされる。
【００４０】
図９は、ある実施形態による、送信のための複製パケットを除去するための無線デバイスによる例示的な方法８００を示す。ある実施形態では、該方法は、無線デバイス１１０のＰＤＣＰレイヤによって実行されてもよい。
【００４１】
この方法は、データが第１のリンク上で送信されるときに、ステップ８０２で開始することができる。ある実施形態では、データは、ＰＤＣＰ  ＰＤＵを含むことができる。別の実施形態では、データは、ＰＤＣＰ  ＰＤＵセグメントを含むことができる。データは、ステップ８０４において、第２のリンク上でさらに送信されてもよい。したがって、データの第１および第２のコピーは、ステップ８０２および８０４において、それぞれ第１および第２のリンク上で送信されてもよい。
【００４２】
ある実施形態では、第１のリンク上の送信は、無線デバイス１１０の第１のＲＬＣエンティティによって実行され、第２のリンク上の送信は、無線デバイス１１０の第２のＲＬＣエンティティによって実行される。ある実施形態では、第１のリンクおよび／または第１のＲＬＣエンティティは、第１の無線アクセス技術に関連付けられてもよく、第２のリンクおよび／または第２のＲＬＣエンティティは、第２の無線アクセス技術に関連付けられてもよい。
【００４３】
ステップ８０６で、データの１つまたは複数の追加の再送信が、第２のリンク上でスケジュールされる。ある実施形態では、データの少なくとも１つの追加の再送信をスケジューリングすることは、データの複数のコピーをＰＤＵとしてＲＬＣ  ＳＤＵバッファに記憶することを含むことができる。
【００４４】
ステップ８０８において、第１のリンク上のプロトコルデータユニットの受信が成功したことを示す肯定応答が、受信機から受信される。ある実施形態では、肯定応答は、ＲＬＣ状態報告において受信される。ある実施形態では、肯定応答は、無線デバイス１１０に関連付けられた第１のＲＬＣエンティティを介して受信される。第１のＲＬＣエンティティは、その後、データが受信機によって正常に受信されたことを識別するインジケーションを無線デバイス１１０のＰＤＣＰエンティティに送信することができる。ある実施形態では、第２のリンクに関連付けられた第２のＲＬＣエンティティがＰＤＣＰと同じ場所に配置されていない場合、そのようなインジケーションは、バックホールチャネルを介して送受信されてもよい。ある実施形態では、第２のＲＬＣエンティティは、第２のリンク上で受信機側ＲＬＣエンティティにインジケーションを送信することができる。インジケーションは、廃棄されるべきデータの１つまたは複数の再送信を識別することができる。
【００４５】
ある実施形態では、肯定応答を受信するために最大送信時間しきい値を定義することができる。最大送信時間しきい値は無線レイヤ障害プロシージャをトリガする。ある実施形態によれば、最大送信時間しきい値に関連付けられたタイマは、ＲＬＦプロシージャのトリガを防ぐために、肯定応答を受信することに応答してリセットされてもよい。
【００４６】
ステップ８１０では、肯定応答の受信に応答して、第２のリンク上のデータの１つまたは複数の追加の再送信がキャンセルされる。データのコピーが再送信のためにＲＬＣ  ＳＤＵバッファに記憶されるある実施形態では、データのコピーは、ＲＬＣ  ＳＤＵバッファから除去され、廃棄されてもよい。
【００４７】
図１０は、ある実施形態による、複製パケットを除去するための受信機による例示的な方法９００を示す。いくつかの実施形態では、この方法は、受信機のＰＤＣＰレイヤによって実行されてもよい。様々なある実施形態では、受信機は、ＵＥを含みうる、無線デバイスを含むことができる。別の実施形態では、受信機はネットワークノードを含むことができる。
【００４８】
該方法は、受信機が、無線デバイス１１０から、第１のリンク上のＰＤＵまたはＰＤＵのセグメントを受信すると、ステップ９０２で開始することができる。ある実施形態では、ＰＤＵまたはＰＤＵのセグメントは、無線の第１のＲＬＣエンティティ６１０Ａから受信機の第１のＲＬＣエンティティ６１５Ａによって受信されてもよい。ステップ９０４で、第１のリンク上でＰＤＵまたはＰＤＵのセグメントを受信したことに応じて、受信機は、肯定応答を無線デバイスに送信する。ある実施形態では、肯定応答は、無線リンク制御であるＲＬＣの状態報告で送信されてもよい。ＰＤＵまたはＰＤＵのセグメントが受信機の第１のＲＬＣエンティティ６１５Ａによって受信されるある実施形態では、肯定応答は、受信機の第１のＲＬＣエンティティ６１５Ａによって無線デバイスの第１のＲＬＣエンティティ６１０Ａに送信されてもよい。
【００４９】
ステップ９０６で、受信機は、無線デバイスから、ＰＤＵの少なくとも１つの再送信、または第２のリンク上のＰＤＵのセグメントを受信する。ある実施形態では、第１のリンクは、第１の無線アクセス技術に関連付けられてもよく、第２のリンクは、第２の無線アクセス技術に関連付けられる。ある実施形態では、ＰＤＵまたはＰＤＵのセグメントは、無線デバイスの第２のＲＬＣエンティティ６１０Ａから受信機の第２のＲＬＣエンティティ６１５Ｂによって受信されてもよい。ある実施形態では、受信機は、ＰＤＵまたはＰＤＵのセグメントをＲＬＣ  ＳＤＵバッファに記憶することができる。
【００５０】
ある実施形態によれば、受信機は、第２のリンク上で受信されたＰＤＵの少なくとも１つの再送信またはＰＤＵのセグメントが廃棄されるべきであることを識別する第１のインジケーションを無線デバイスから受信することもできる。次いで、受信機は、第２のリンク上で受信されたＰＤＵまたはＰＤＵのセグメントの少なくとも１つの再送信を廃棄することができる。たとえば、ある実施形態では、受信機は、ＲＬＣ  ＳＤＵバッファからＰＤＵまたはＰＤＵのセグメントを除去することができる。
【００５１】
図１１は、ある実施形態による、例示的な無線ネットワーク制御装置またはコアネットワークノード  １４００を示す。ネットワークノードの例は、移動交換局（ＭＳＣ）、サービングＧＰＲＳサポートノード（ＳＧＳＮ）、モビリティマネージメントエンティティ（ＭＭＥ）、無線ネットワーク制御装置（ＲＮＣ）、基地局制御装置（ＢＳＣ）などを含むことができる。無線ネットワーク制御装置またはコアネットワークノード  １０００は、プロセッシング回路１０２０、メモリ１０３０、およびネットワークインタフェース１０４０を含む。いくつかの実施形態では、プロセッシング回路１０２０は、ネットワークノードによって提供されるものとして上述した機能のいくつかまたはすべてを提供するための命令を実行し、メモリ１０３０は、プロセッシング回路１０２０によって実行される命令を保存し、ネットワークインタフェース１０４０は、ゲートウェイ、スイッチ、ルータ、インターネット、公衆交換電話網（ＰＳＴＮ）、ネットワークノード１１５、無線ネットワーク制御装置またはコアネットワークノード  １０００などの任意の好適なノードに信号を通信する。
【００５２】
プロセッシング回路１０２０は、無線ネットワーク制御装置またはコアネットワークノード１０００の記載された機能のいくつかまたはすべてを実装するために命令を実行し、データを操作するために１つまたは複数のモジュールで実装されたハードウエアおよびソフトウエアの任意の好適な組合せを含み得る。いくつかの実施形態では、プロセッシング回路１０２０は、たとえば、１つまたは複数のコンピュータ、１つまたは複数の中央処理装置（ＣＰＵ）、１つまたは複数のマイクロプロセッサ、１つまたは複数のアプリケーション、および／または他のロジックを含むことができる。
【００５３】
メモリ１０３０は、一般に、コンピュータプログラム、ソフトウエア、論理、ルール、アルゴリズム、コード、テーブルなどのうちの１つまたは複数を含むアプリケーション、および／またはプロセッサによって実行可能な他の命令などの命令を格納するように動作可能である。メモリ１０３０の例は、コンピュータメモリ（たとえば、ランダムアクセスメモリ（ＲＡＭ）またはリードオンリメモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、および／または情報を記憶する任意の他の揮発性または不揮発性の、一時的でないコンピュータ可読および／またはコンピュータ実行可能メモリデバイスを含む。
【００５４】
いくつかの実施形態では、ネットワークインタフェース１０４０は、プロセッシング回路１０２０に通信可能に結合され、ネットワークノードのための入力を受信し、ネットワークノードから出力を送信し、入力または出力またはその両方の適切な処理を実行し、他のデバイスと通信し、あるいはこれらの任意の組合せを行うように動作可能な任意の適切なデバイスを指すことができる。ネットワークインタフェース１０４０は、ネットワークを介して通信するために、プロトコル変換およびデータ処理能力を含む適切なハードウエア（たとえば、ポート、モデム、ネットワークインタフェースカードなど）およびソフトウエアを含み得る。
【００５５】
本ネットワークノードの他の実施形態は、図１１に示されたものを超える追加の構成要素を含むことができ、これは、上述の機能のいずれか、および／または任意の追加の機能（上述の解決策をサポートするために不可欠な任意の機能を含む）を含む、ネットワークノードの機能の特定の態様を提供する役割を果たすことができる。
【００５６】
ある実施形態によれば、デュアルコネクティビティにおけるＵＬの複製が提供される。したがって、コンフィギュレーション、アクティブ化（有効化）／非アクティブ化（無効化）、およびデータ複製操作などの、デュアルコネクティビティのためのＵＬデータ複製のいくつかの態様が説明される。
【００５７】
データの複製は、ウルトラリライアブル（超信頼性のある）デバイスおよびサービスにとってより有用であり得る。しかしながら、ＵＬ  ユーザプレーンデータの複製は、無線リンクが安定していない状況、たとえば、一定のＵＬビットレートを維持しようとするカバレッジ制限状況に対処するための興味深いオプションでもあり得る。また、０ｍｓの割り込み時間要件を達成するのに役立つオプションとすることもできる。
【００５８】
この機能を有効／無効にするには、さまざまなオプションがある。
【００５９】
・ＲＲＣメッセージ：機能を構成するＲＲＣメッセージは、機能をアクティブ化／非アクティブ化することができる。
【００６０】
・イベントトリガ：この機構は、測定イベントと同様であり得る。（ネットワークによって構成された）あるイベントの際に、ＵＥは、ＰＤＣＰデータ複製をアクティブ化／非アクティブ化する。
【００６１】
・ＰＤＣＰ：  ＰＤＣＰレイヤは、ＰＤＣＰ制御コマンドによって複製をアクティブ化および非アクティブ化することができる。この場合、ＮＷは、ＵＥが複製をアクティブ化または非アクティブ化することを望むときに、ＰＤＣＰ制御コマンドをＵＥに送信することができる。なお、コンフィギュレーション（設定）は、依然として、ＲＲＣを介して以前に送信されなければならない。
【００６２】
・ＭＡＣ：ＭＡＣは、ＮＷが特定のＭＡＣ機能を変更することを可能にするＭＡＣ  ＣＥを既に有する。ＭＡＣ  ＣＥは、ＰＤＰＣ複製をアクティブ化または非アクティブ化するために使用することができるが、この場合には有益ではないと考えられるレイヤ間依存性を生成してしまう。
【００６３】
ＵＬ  ＰＤＣＰ  ＰＤＵの複製は、ネットワークにおいてかなりの量のリソースを必要とし、したがって、アクティブ化／非アクティブ化は、ネットワークの完全な制御下にあるべきである。この角度から、この機能を制御するための最良の代替物は、ＲＲＣまたはＰＤＣＰであり得る。ある実施形態によれば：
・ＰＤＣＰ制御コマンドは、ＵＬ  （ＤＲＢ）データ複製をアクティブ化／非アクティブ化することができる。
【００６４】
・ＰＤＣＰ複製がアクティブ化されると、ＵＥは、同じＰＤＣＰ  ＰＤＵを両方のＲＬＣエンティティに配信しなければならない。
【００６５】
・ＰＤＣＰ複製が非アクティブ化されると、ＵＥは、同じＰＤＣＰ  ＰＤＵを両方のＲＬＣエンティティに配信すべきではない。
【００６６】
・（ＲＬＣ／ＭＡＣ）下位レイヤにおける（複製された）データは、ＰＤＣＰ複製のアクティブ化／非アクティブ化によって影響されるべきではない。
【００６７】
複製がアクティブ化された後に、たとえば、悪い無線状態のために、レッグのうちの１つのデータが通過しない状況が存在し得る。しかしながら、他方のレッグは、適切に機能することができる。その結果、データは、レッグのうちの１つを介してＮＷにおいて受信される。
【００６８】
不良な無線環境を有していた区間で、ＲＬＣは、（他の区間を介して受信されているので）もはや必要とされない再送信を実行してしまうだろう。レッグが回復する場合、ＲＬＣは、依然として、ＲＬＣ／ＭＡＣにおいて保留中のデータ（すなわち、再送信）を送信することができる。しかしながら、全てのこのデータは、ＮＷによって廃棄される。したがって、ＵＥがそれを送信しないことが好ましい。
【００６９】
最悪のケースでは、このレッグが回復しない場合、ＲＬＣ再送信の最大数に達し、これは、このケースでは必要とされない可能性があるＲＬＦ障害をトリガすることになる。
【００７０】
これは、リソースの浪費を回避し、１つのレッグで受信されたものの第２のレッグで再送信されている可能性がある複製データのためのＲＬＦを回避するためのメカニズムを導入すべきかどうかに関する問題を生じさせる。
【００７１】
ＵＥにおけるＰＤＣＰレイヤは、ＲＬＣ  ＡＭが使用された場合、ＰＤＣＰ  ＰＤＵがＮＷによって受信されたかどうかを知ることができる。ＰＤＣＰレイヤはまた、どのレッグにおいてデータが正常に受信されたかを知っている。したがって、ＰＤＣＰエンティティは、他のＲＬＣエンティティに、それらのＰＤＣＰ  ＰＤＵの送信を停止するように指し示すことができる。（ＮＷ側の）ピアＲＬＣエンティティも、受信機ウィンドウを前方に移動させることができるように、これを通知される必要がある。
【００７２】
ある実施形態によれば、無線デバイスにおける方法は、以下を含むことができる。
【００７３】
・第１のリンク上でデータを送信すること。
【００７４】
・第２のリンク上でデータを送信すること。
【００７５】
・第２のリンク上でのデータの１つまたは複数の追加の再送信をスケジューリングすること。
【００７６】
・受信機から、第１のリンク上でのＰＤＵのセグメントの受信が成功したことを示す肯定応答を受信すること。
【００７７】
・肯定応答の受信に応答して、第２のリンク上でのデータの１つまたは複数の追加の再送信をキャンセルすること。
【００７８】
・オプションとして、データはパケットデータユニットを含む。
【００７９】
・オプションとして、データは、パケットデータユニットのセグメントを含む。
【００８０】
・オプションとして、肯定応答は、ＲＬＣ状態報告で受信される。
【００８１】
・オプションとして、肯定応答は、第１のリンクに関連付けられた第１のＲＬＣエンティティを介して受信され、第１のＲＬＣエンティティは、データが受信機によって受信されたというインジケーションを無線デバイスのＰＤＣＰエンティティに送信する。
【００８２】
・オプションとして、第２のリンクに関連付けられた第２のＲＬＣエンティティは、ＰＤＣＰと同じ場所に配置されず、ＰＤＣＰエンティティに送信されたインジケーションは、バックホールチャネルを介して受信される。
【００８３】
・オプションとして、第２のＲＬＣエンティティは、第２のリンクに関連付けられた受信機側ＲＬＣエンティティにインジケーションを送信し、インジケーションは、廃棄されるべきデータの１つまたは複数の再送信を識別する。
【００８４】
・オプションとして、データの少なくとも１つの追加の再送信をスケジューリングするステップは、ＲＬＣ  ＳＤＵバッファにＰＤＵとしてデータの複数のコピーを記憶するステップを含む。
【００８５】
・オプションとして、第２のリンク上のデータの１つまたは複数の追加の再送信をキャンセルするステップは、ＲＬＣ  ＳＤＵバッファからデータの複数のコピーを除去することと、除去されたデータのコピーを廃棄することとを含む。
【００８６】
・オプションとして、第１のリンクに関連付けられた第１のＲＬＣエンティティを介して受信された肯定応答は、肯定応答が第２のリンクに関連付けられた第２のＲＬＣエンティティを介して受信される前に受信される。
【００８７】
・オプションとして、第１のリンクは第１の無線アクセス技術に関連付けられ、第２のリンクは第２の無線アクセス技術に関連付けられる。
【００８８】
・オプションとして、該方法は、無線デバイスのＰＤＣＰレイヤによって実行される。
【００８９】
・オプションとして、第１のリンク上の送信は、無線デバイスの第１のＲＬＣエンティティによって実行される。
【００９０】
・オプションとして、第２のリンク上の送信は、無線デバイスの第２のＲＬＣエンティティによって実行される。
【００９１】
・  オプションとして、ＲＬＣアクノレッジメントモード（ＡＭ）のためにネットワークノードからコンフィギュレーションを受信する。
【００９２】
・オプションとして、肯定応答を受信するための最大送信時間しきい値が定義され、最大送信時間しきい値は、無線レイヤ障害プロシージャをトリガする。
【００９３】
・オプションとして、肯定応答の受信に応答して、最大送信時間しきい値に関連するタイマをリセットして、ＲＬＦプロシージャのトリガを防止する。
【００９４】
ある実施形態によれば、無線デバイスは、以下を含むことができる。
【００９５】
・プロセッシング回路。当該プロセッシング回路は、以下のように構成される。
【００９６】
・第１のリンク上でデータを送信する。
【００９７】
・第２のリンク上でデータを送信する。
【００９８】
・第２のリンク上でのデータの１つまたは複数の追加の再送信をスケジュールする。
【００９９】
・受信機から、第１のリンク上でのＰＤＵのセグメントの受信が成功したことを示す肯定応答を受信する。
【０１００】
・肯定応答の受信に応答して、第２のリンク上でのデータの１つまたは複数の追加の再送信をキャンセルする。
【０１０１】
・オプションとして、データはパケットデータユニットを含む。
【０１０２】
・オプションとして、データは、パケットデータユニットのセグメントを含む。
【０１０３】
・オプションとして、肯定応答は、ＲＬＣ状態報告で受信される。
【０１０４】
・オプションとして、肯定応答は、第１のリンクに関連付けられた第１のＲＬＣエンティティを介して受信され、第１のＲＬＣエンティティは、データが受信機によって受信されたというインジケーションを無線デバイスのＰＤＣＰエンティティに送信する。
【０１０５】
・オプションとして、第２のリンクに関連付けられた第２のＲＬＣエンティティは、ＰＤＣＰと同じ場所に配置されず、ＰＤＣＰエンティティに送信されたインジケーションは、バックホールチャネルを介して受信される。
【０１０６】
・オプションとして、第２のＲＬＣエンティティは、第２のリンクに関連付けられた受信機側ＲＬＣエンティティにインジケーションを送信し、インジケーションは、廃棄されるべきデータの１つまたは複数の再送信を識別する。
【０１０７】
・オプションとして、データの少なくとも１つの追加の再送信をスケジューリングすることは、ＲＬＣ  ＳＤＵバッファにＰＤＵとしてデータの複数のコピーを記憶することを含む。
【０１０８】
・オプションとして、第２のリンク上のデータの１つまたは複数の追加の再送信をキャンセルすることは、ＲＬＣ  ＳＤＵバッファからデータの複数のコピーを除去することと、除去されたデータのコピーを廃棄することとを含む。
【０１０９】
・オプションとして、第１のリンクに関連付けられた第１のＲＬＣエンティティを介して受信された肯定応答は、肯定応答が第２のリンクに関連付けられた第２のＲＬＣエンティティを介して受信される前に受信される。
【０１１０】
・オプションとして、第１のリンクは第１の無線アクセス技術に関連付けられ、第２のリンクは第２の無線アクセス技術に関連付けられる。
【０１１１】
・オプションとして、プロセッシング回路は、無線デバイスのＰＤＣＰレイヤに関連付けられる。
【０１１２】
・オプションとして、第１のリンク上の送信は、無線デバイスの第１のＲＬＣエンティティによって実行される。
【０１１３】
・オプションとして、第２のリンク上の送信は、無線デバイスの第２のＲＬＣエンティティによって実行される。
【０１１４】
・オプションとして、プロセッシング回路は、ＲＬＣアクノレッジメントモード（ＡＭ）のためにネットワークノードから構成を受信するようにさらに構成される。
【０１１５】
・オプションとして、肯定応答を受信するための最大送信時間しきい値が定義され、最大送信時間しきい値は、無線レイヤ障害プロシージャをトリガする。
【０１１６】
・オプションとして、肯定応答の受信に応答して、プロセッシング回路は、ＲＬＦプロシージャのトリガを防止するために、最大送信時間しきい値に関連するタイマをリセットするようにさらに構成される。
【０１１７】
本開示のある実施形態は、１つまたは複数の技術的利点を提供することができる。たとえば、いくつかの実施形態は、データが複製され、２つの異なるリンクを介して送信され、成功した送信が２つのリンクのうちの１つを介して受信されるとき、最大数のＲＬＣ送信に応答して、無線リンク障害（ＲＬＦ）プロシージャの不必要なトリガを回避することができる。したがって、ある実施形態は、ネットワークリソースを節約する。さらに、ある実施形態は、ＲＬＣ再確立を回避する。
【０１１８】
本発明の範囲から逸脱することなく、本明細書に記載されたシステム及び装置に修正、追加、又は省略がなされてもよい。システムおよび装置の構成要素は、一体化されていても、分離されていてもよい。さらに、システムおよび装置の操作は、より多くの構成要素、より少ない構成要素、または他の構成要素によって実行されてもよい。さらに、システムおよび装置の動作は、ソフトウエア、ハードウエア、および／または他のロジックを含む任意の好適なロジックを使用して実行されてもよい。本明細書で使用されるように、「各」は、セットの各メンバ、またはセットのサブセットの各メンバを指す。
【０１１９】
本開示の範囲から逸脱することなく、修正、追加、または省略が、本明細書に記載された方法になされてもよい。この方法は、より多くの、より少ない、または他のステップを含むことができる。さらに、ステップは、任意の適切な順序で実行されてもよい。
【０１２０】
本開示は、ある実施形態に関して説明されてきたが、実施形態の変更および置換は、当業者には明らかであろう。したがって、実施形態の上記の説明は、本開示を制約しない。以下の特許請求の範囲によって定義されるように、本開示の精神および範囲から逸脱することなく、他の変更、置換、および変更が可能である。
【図１】
2020516145.tif 000003
【図２】
2020516145.tif 000004
【図３】
2020516145.tif 000005
【図４】
2020516145.tif 000006
【図５】
2020516145.tif 000007
【図６】
2020516145.tif 000008
【図７】
2020516145.tif 000009
【図８】
2020516145.tif 000010
【図９】
2020516145.tif 000011
【図１０】
2020516145.tif 000012
【図１１】
2020516145.tif 000013
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
ネットワークノード（１１５）における方法であって、
第１の無線リンク制御（ＲＬＣ）エンティティ（６１０Ａ）によって、パケットデータコンバージェンスプロトコル（ＰＤＣＰ）プロトコルデータユニット（ＰＤＵ）またはＰＤＣＰ  ＰＤＵのセグメントを第１のリンク上で送信することであって、前記第１のＲＬＣエンティティ（６１０Ａ）は前記第１のリンクに関連付けられたものである、ことと、
第２のＲＬＣエンティティ（６１０Ｂ）によって、前記ＰＤＣＰ  ＰＤＵまたは前記ＰＤＣＰ  ＰＤＵの前記セグメントを第２のリンク上で送信することであって、前記第２のＲＬＣエンティティ（６１０Ｂ）は前記第２のリンクに関連付けられたものである、ことと、
前記第２のリンク上での前記ＰＤＣＰ  ＰＤＵまたは前記ＰＤＣＰ  ＰＤＵの前記セグメントの１つまたは複数の再送信をスケジューリングすることと、
受信機から前記第１のＲＬＣエンティティ（６１０Ａ）を介して、前記第１のリンク上の前記ＰＤＣＰ  ＰＤＵまたは前記ＰＤＣＰ  ＰＤＵの前記セグメントの受信が成功したことを示す肯定応答を受信することと、
前記第１のＲＬＣエンティティ（６１０Ａ）によって、前記ＰＤＣＰ  ＰＤＵが前記受信機によって受信されたというインジケーションを、パケットデータコンバージェンスプロトコル（ＰＤＣＰ）エンティティ（６０５）に送信することと、
バックホールチャネルを介して、前記ＰＤＣＰ  ＰＤＵまたは前記ＰＤＣＰ  ＰＤＵの前記セグメントを廃棄するよう前記第２のＲＬＣエンティティ（６１０Ｂ）にインジケーションを通信することであって、前記ＰＤＣＰエンティティ（６０５）は前記第２のＲＬＣエンティティ（６１０Ｂ）と同じ場所には配置されていないものである、ことと、
前記ＰＤＣＰ  ＰＤＵまたは前記ＰＤＣＰ  ＰＤＵの前記セグメントを廃棄するための前記インジケーションの受信に応答して、前記第２のリンク上での前記ＰＤＣＰ  ＰＤＵまたは前記ＰＤＣＰ  ＰＤＵの前記セグメントの１つまたは複数の再送信をキャンセルすることと、を有する方法。
【請求項２】
前記肯定応答は、無線リンク制御であるＲＬＣの状態報告において受信される、請求項１に記載の方法。
【請求項３】
前記第１のリンクに関連付けられた前記第１のＲＬＣエンティティを介して受信された前記肯定応答は、前記第２のリンクに関連付けられた前記第２のＲＬＣエンティティを介して肯定応答が受信される前に、受信される、請求項１または２に記載の方法。
【請求項４】
前記第２のＲＬＣエンティティは、前記第２のリンクに関連する受信側ＲＬＣエンティティにインジケーションを送信し、前記インジケーションは、廃棄されるべきデータの１つまたは複数の再送信を識別する、請求項１ないし３のいずれか一項に記載の方法。
【請求項５】
前記ＰＤＣＰ  ＰＤＵまたは前記ＰＤＣＰ  ＰＤＵの前記セグメントの少なくとも１つの再送信をスケジューリングすることは、前記ＰＤＣＰ  ＰＤＵまたは前記ＰＤＣＰ  ＰＤＵの前記セグメントの複数のコピーをＲＬＣサービスデータユニット（ＳＤＵ）バッファに記憶することを含む、請求項１から４のいずれか一項に記載の方法。
【請求項６】
前記第２のリンク上で前記ＰＤＣＰ  ＰＤＵまたは前記ＰＤＣＰ  ＰＤＵの前記セグメントの１つまたは複数の再送信をキャンセルすることは、前記ＲＬＣ  ＳＤＵバッファから前記ＰＤＣＰ  ＰＤＵまたは前記ＰＤＣＰ  ＰＤＵの前記セグメントの複数のコピーを除去することと、前記ＰＤＣＰ  ＰＤＵまたは前記ＰＤＣＰ  ＰＤＵの前記セグメントの前記除去された複数のコピーを廃棄することとを含む、請求項５に記載の方法。
【請求項７】
前記第１のリンクは、第１の無線アクセス技術に関連付けられており、前記第２のリンクは、第２の無線アクセス技術に関連付けられている、請求項１から６のいずれか一項に記載の方法。
【請求項８】
前記肯定応答を受信するための最大送信時間しきい値が定義されており、前記最大送信時間しきい値は、無線レイヤ障害（ＲＬＦ）プロシージャをトリガするものである、請求項１から７のいずれか一項に記載の方法。
【請求項９】
前記肯定応答を受信することに応答して、前記最大送信時間しきい値に関連付けられたタイマをリセットして、前記ＲＬＦプロシージャのトリガを防止することをさらに含む、請求項８に記載の方法。
【請求項１０】
ネットワークノード（１１５）であって、
第１の無線リンク制御（ＲＬＣ）エンティティ（６１０Ａ）によって、パケットデータコンバージェンスプロトコル（ＰＤＣＰ）プロトコルデータユニット（ＰＤＵ）またはＰＤＵのセグメントを第１のリンク上で送信することであって、前記第１のＲＬＣエンティティ（６１０Ａ）は前記第１のリンクに関連付けられたものである、こと、
第２のＲＬＣエンティティ（６１０Ｂ）によって、前記ＰＤＣＰ  ＰＤＵまたは前記ＰＤＣＰ  ＰＤＵの前記セグメントを第２のリンクで送信することであって、前記第２のＲＬＣエンティティ（６１０Ｂ）は前記第２のリンクに関連付けられたものである、ことと、
前記第２のリンク上での前記ＰＤＣＰ  ＰＤＵまたは前記ＰＤＣＰ  ＰＤＵの前記セグメントの１つまたは複数の再送信をスケジュールすることと、
受信機から前記第１のＲＬＣエンティティ（６１０Ａ）を介して、前記第１のリンク上での前記ＰＤＣＰ  ＰＤＵまたは前記ＰＤＣＰ  ＰＤＵの前記セグメントの受信が成功したことを示す肯定応答を受信することと、
前記第１のＲＬＣエンティティ（６１０Ａ）によって、前記ＰＤＣＰ  ＰＤＵが前記受信機によって受信されたというインジケーションを、パケットデータコンバージェンスプロトコル（ＰＤＣＰ）エンティティ（６０５）に送信することと、
バックホールチャネルを介して、前記ＰＤＣＰ  ＰＤＵまたは前記ＰＤＣＰ  ＰＤＵの前記セグメントを廃棄するよう前記第２のＲＬＣエンティティ（６１０Ｂ）にインジケーションを通信することであって、前記ＰＤＣＰエンティティ（６０５）は前記第２のＲＬＣエンティティ（６１０Ｂ）と同じ場所には配置されていないものである、ことと、
前記ＰＤＣＰ  ＰＤＵまたは前記ＰＤＣＰ  ＰＤＵの前記セグメントを廃棄するための前記インジケーションの受信に応答して、前記第２のリンク上の前記ＰＤＣＰ  ＰＤＵまたは前記ＰＤＣＰ  ＰＤＵの前記セグメントの１つまたは複数の再送信をキャンセルすることと、を実行するように構成されているプロセッシング回路（３２０）を有する、ネットワークノード（１１５）。
【請求項１１】
前記肯定応答は、無線リンク制御（ＲＬＣ）状態報告において受信される、請求項１０に記載のネットワークノード（１１５）。
【請求項１２】
前記第１のリンクに関連付けられた前記第１のＲＬＣエンティティを介して受信された前記肯定応答は、前記第２のリンクに関連付けられた前記第２のＲＬＣエンティティを介して肯定応答が受信される前に、受信される、請求項１０または１１に記載のネットワークノード（１１５）。
【請求項１３】
前記第２のＲＬＣエンティティは、前記第２のリンクに関連付けられた受信機側ＲＬＣエンティティにインジケーションを送信し、前記インジケーションは、廃棄されるべきデータの１つまたは複数の再送信を識別するものである、請求項１０ないし１２のいずれか一項に記載のネットワークノード（１１５）。
【請求項１４】
前記ＰＤＣＰ  ＰＤＵまたは前記ＰＤＣＰ  ＰＤＵの前記セグメントの少なくとも１つの再送信をスケジュールすることは、前記ＰＤＣＰ  ＰＤＵまたは前記ＰＤＣＰ  ＰＤＵの前記セグメントの複数のコピーをＲＬＣサービスデータユニット（ＳＤＵ）バッファに記憶することを含む、請求項１０から１３のいずれか一項に記載のネットワークノード（１１５）。
【請求項１５】
前記第２のリンク上での前記ＰＤＣＰ  ＰＤＵまたは前記ＰＤＣＰ  ＰＤＵの前記セグメントの前記１つまたは複数の再送信をキャンセルすることは、前記ＰＤＣＰ  ＰＤＵまたは前記ＰＤＣＰ  ＰＤＵの前記セグメントの前記複数のコピーを前記ＲＬＣ  ＳＤＵバッファから除去することと、前記ＰＤＣＰ  ＰＤＵまたは前記ＰＤＣＰ  ＰＤＵの前記セグメントの前記除去された複数のコピーを廃棄することとを含む、請求項１４に記載のネットワークノード（１１５）。
【請求項１６】
前記第１のリンクは、第１の無線アクセス技術に関連付けられており、前記第２のリンクは、第２の無線アクセス技術に関連付けられている、請求項１０から１５のいずれか一項に記載のネットワークノード（１１５）。
【請求項１７】
前記プロセッシング回路は、前記ネットワークノード（１１５）のＰＤＣＰレイヤに関連付けられている、請求項１０から１６のいずれか一項に記載のネットワークノード（１１５）。
【請求項１８】
前記肯定応答を受信するために最大送信時間しきい値が定義されており、前記最大送信時間しきい値は、無線レイヤ障害（ＲＬＦ）プロシージャをトリガするものである、請求項１０から１７のいずれか一項に記載のネットワークノード（１１５）。
【請求項１９】
前記肯定応答を受信したことに応じて、前記プロセッシング回路は、前記ＲＬＦプロシージャのトリガを防止するために、前記最大送信時間しきい値に関連付けられたタイマをリセットするようにさらに構成されている、請求項１８に記載のネットワークノード（１１５）。
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
ネットワークノード（１１５）における方法であって、
第１の無線リンク制御（ＲＬＣ）エンティティ（６１０Ａ）によって、プロトコルデータユニット（ＰＤＵ）またはＰＤＵのセグメントを第１のリンク上で送信することであって、前記第１のＲＬＣエンティティ（６１０Ａ）は前記第１のリンクに関連付けられたものである、ことと、
第２のＲＬＣエンティティ（６１０Ｂ）によって、前記ＰＤＵまたは前記ＰＤＵの前記セグメントを第２のリンク上で送信することであって、前記第２のＲＬＣエンティティ（６１０Ｂ）は前記第２のリンクに関連付けられたものである、ことと、
前記第２のリンク上での前記ＰＤＵまたは前記ＰＤＵの前記セグメントの１つまたは複数の再送信をスケジューリングすることと、
受信機から前記第１のＲＬＣエンティティ（６１０Ａ）を介して、前記第１のリンク上の前記ＰＤＵまたは前記ＰＤＵの前記セグメントの受信が成功したことを示す肯定応答を受信することと、
前記第１のＲＬＣエンティティ（６１０Ａ）によって、前記ＰＤＵまたは前記ＰＤＵの前記セグメントが前記受信機によって受信されたというインジケーションを、パケットデータコンバージェンスプロトコル（ＰＤＣＰ）エンティティ（６０５）に送信することと、
バックホールチャネルを介して、前記ＰＤＵまたは前記ＰＤＵの前記セグメントを廃棄するよう前記第２のＲＬＣエンティティ（６１０Ｂ）にインジケーションを通信することであって、前記ＰＤＣＰエンティティ（６０５）は前記第２のＲＬＣエンティティ（６１０Ｂ）と同じ場所には配置されていないものである、ことと、
前記ＰＤＵまたは前記ＰＤＵの前記セグメントを廃棄するための前記インジケーションの受信に応答して、前記第２のリンク上での前記ＰＤＵまたは前記ＰＤＵの前記セグメントの１つまたは複数の再送信をキャンセルすることと、を有する方法。
【請求項２】
前記肯定応答は、無線リンク制御であるＲＬＣの状態報告において受信される、請求項１に記載の方法。
【請求項３】
前記第１のリンクに関連付けられた前記第１のＲＬＣエンティティを介して受信された前記肯定応答は、前記第２のリンクに関連付けられた前記第２のＲＬＣエンティティを介して肯定応答が受信される前に、受信される、請求項１または２に記載の方法。
【請求項４】
前記第２のＲＬＣエンティティは、前記第２のリンクに関連する受信側ＲＬＣエンティティにインジケーションを送信し、前記インジケーションは、廃棄されるべきデータの１つまたは複数の再送信を識別する、請求項１ないし３のいずれか一項に記載の方法。
【請求項５】
前記ＰＤＵまたは前記ＰＤＵの前記セグメントの少なくとも１つの再送信をスケジューリングすることは、前記ＰＤＵまたは前記ＰＤＵの前記セグメントの複数のコピーをＲＬＣサービスデータユニット（ＳＤＵ）バッファに記憶することを含む、請求項１から４のいずれか一項に記載の方法。
【請求項６】
前記第２のリンク上で前記ＰＤＵまたは前記ＰＤＵの前記セグメントの１つまたは複数の再送信をキャンセルすることは、前記ＲＬＣ  ＳＤＵバッファから前記ＰＤＵまたは前記ＰＤＵの前記セグメントの複数のコピーを除去することと、前記ＰＤＵまたは前記ＰＤＵの前記セグメントの前記除去された複数のコピーを廃棄することとを含む、請求項５に記載の方法。
【請求項７】
前記第１のリンクは、第１の無線アクセス技術に関連付けられており、前記第２のリンクは、第２の無線アクセス技術に関連付けられている、請求項１から６のいずれか一項に記載の方法。
【請求項８】
前記方法が、前記ネットワークノードのＰＤＣＰレイヤによって実行される、請求項１から７のいずれか一項に記載の方法。
【請求項９】
ＲＬＣアクノレッジメントモード（ＡＭ）のためにネットワークノードからコンフィギュレーションを受信することをさらに含む、請求項１ないし８のいずれか一項に記載の方法。
【請求項１０】
前記肯定応答を受信するための最大送信時間しきい値が定義されており、前記最大送信時間しきい値は、無線レイヤ障害（ＲＬＦ）プロシージャをトリガするものである、請求項１から９のいずれか一項に記載の方法。
【請求項１１】
前記肯定応答を受信することに応答して、前記最大送信時間しきい値に関連付けられたタイマをリセットして、前記ＲＬＦプロシージャのトリガを防止することをさらに含む、請求項１０に記載の方法。
【請求項１２】
ネットワークノード（１１５）であって、
第１の無線リンク制御（ＲＬＣ）エンティティ（６１０Ａ）によって、プロトコルデータユニット（ＰＤＵ）またはＰＤＵのセグメントを第１のリンク上で送信することであって、前記第１のＲＬＣエンティティ（６１０Ａ）は前記第１のリンクに関連付けられたものである、こと、
第２のＲＬＣエンティティ（６１０Ｂ）によって、前記ＰＤＵまたは前記ＰＤＵの前記セグメントを第２のリンクで送信することであって、前記第２のＲＬＣエンティティ（６１０Ｂ）は前記第２のリンクに関連付けられたものである、ことと、
前記第２のリンク上での前記ＰＤＵまたは前記ＰＤＵの前記セグメントの１つまたは複数の再送信をスケジュールすることと、
受信機から前記第１のＲＬＣエンティティ（６１０Ａ）を介して、前記第１のリンク上での前記ＰＤＵまたは前記ＰＤＵの前記セグメントの受信が成功したことを示す肯定応答を受信することと、
前記第１のＲＬＣエンティティ（６１０Ａ）によって、前記ＰＤＵまたは前記ＰＤＵの前記セグメントが前記受信機によって受信されたというインジケーションを、パケットデータコンバージェンスプロトコル（ＰＤＣＰ）エンティティ（６０５）に送信することと、
バックホールチャネルを介して、前記ＰＤＵまたは前記ＰＤＵの前記セグメントを廃棄するよう前記第２のＲＬＣエンティティ（６１０Ｂ）にインジケーションを通信することであって、前記ＰＤＣＰエンティティ（６０５）は前記第２のＲＬＣエンティティ（６１０Ｂ）と同じ場所には配置されていないものである、ことと、
前記ＰＤＵまたは前記ＰＤＵの前記セグメントを廃棄するための前記インジケーションの受信に応答して、前記第２のリンク上の前記ＰＤＵまたは前記ＰＤＵの前記セグメントの１つまたは複数の再送信をキャンセルすることと、を実行するように構成されているプロセッシング回路（３２０）を有する、ネットワークノード（１１５）。
【請求項１３】
前記肯定応答は、無線リンク制御（ＲＬＣ）状態報告において受信される、請求項１２に記載のネットワークノード（１１５）。
【請求項１４】
前記第１のリンクに関連付けられた前記第１のＲＬＣエンティティを介して受信された前記肯定応答は、前記第２のリンクに関連付けられた前記第２のＲＬＣエンティティを介して肯定応答が受信される前に、受信される、請求項１２または１３に記載のネットワークノード（１１５）。
【請求項１５】
前記第２のＲＬＣエンティティは、前記第２のリンクに関連付けられた受信機側ＲＬＣエンティティにインジケーションを送信し、前記インジケーションは、廃棄されるべきデータの１つまたは複数の再送信を識別するものである、請求項１２ないし１４のいずれか一項に記載のネットワークノード（１１５）。
【請求項１６】
前記ＰＤＵまたは前記ＰＤＵの前記セグメントの少なくとも１つの再送信をスケジュールすることは、前記ＰＤＵまたは前記ＰＤＵの前記セグメントの複数のコピーをＲＬＣサービスデータユニット（ＳＤＵ）バッファに記憶することを含む、請求項１２から１５のいずれか一項に記載のネットワークノード（１１５）。
【請求項１７】
前記第２のリンク上での前記ＰＤＵまたは前記ＰＤＵの前記セグメントの前記１つまたは複数の再送信をキャンセルすることは、前記ＰＤＵまたは前記ＰＤＵの前記セグメントの前記複数のコピーを前記ＲＬＣ  ＳＤＵバッファから除去することと、前記ＰＤＵまたは前記ＰＤＵの前記セグメントの前記除去された複数のコピーを廃棄することとを含む、請求項１６に記載のネットワークノード（１１５）。
【請求項１８】
前記第１のリンクは、第１の無線アクセス技術に関連付けられており、前記第２のリンクは、第２の無線アクセス技術に関連付けられている、請求項１２から１７のいずれか一項に記載のネットワークノード（１１５）。
【請求項１９】
前記プロセッシング回路は、前記ネットワークノード（１１５）のＰＤＣＰレイヤに関連付けられている、請求項１２から１８のいずれか一項に記載のネットワークノード（１１５）。
【請求項２０】
前記プロセッシング回路は、ＲＬＣアクノレッジメントモード（ＡＭ）のためのネットワークノードからコンフィギュレーションを受信するようにさらに構成されている、請求項１２から１９のいずれか一項に記載のネットワークノード（１１５）。
【請求項２１】
前記肯定応答を受信するために最大送信時間しきい値が定義されており、前記最大送信時間しきい値は、無線レイヤ障害（ＲＬＦ）プロシージャをトリガするものである、請求項１２から２０のいずれか一項に記載のネットワークノード（１１５）。
【請求項２２】
前記肯定応答を受信したことに応じて、前記プロセッシング回路は、前記ＲＬＦプロシージャのトリガを防止するために、前記最大送信時間しきい値に関連付けられたタイマをリセットするようにさらに構成されている、請求項２１に記載のネットワークノード（１１５）。
【国際調査報告】
2020516145.tif 000014
2020516145.tif 000015
2020516145.tif 000016